(57)【要約】【課題】本発明は、光ファイバが正常に接続されているかを確認することが可能な光伝送装置における光ファイバの接続確認方法を提供することを目的とする。【解決手段】本発明による光伝送装置における光ファイバの接続確認方法は、光増幅部１と、光増幅部１と光ファイバで接続されたＯＸＣ（Optical Cross Connect）部２と、ＯＸＣ部２と光ファイバで接続された光合分波部３と、光合分波部３と光ファイバで接続された光スイッチ部４と、光スイッチ部４と光ファイバで接続された光送受信部５と、光カプラとを備える、多方路に光信号を送受信することが可能な光伝送装置における光ファイバの接続確認方法であって、光送受信部５が送受信する光信号の波長を、未使用波長、またはＯＸＣ部、光スイッチ部、および光送受信部が使用可能に予め設定されたサービス外波長に設定し、未使用波長またはサービス外波長を用いて光伝送装置における光ファイバの接続確認を行う。【選択図】図１
2019176297.tif 000002
【特許請求の範囲】
【請求項１】
光増幅部と、前記光増幅部と光ファイバで接続されたＯＸＣ（Optical Cross Connect）部と、前記ＯＸＣ部と光ファイバで接続された光合分波部と、前記光合分波部と光ファイバで接続された光スイッチ部と、前記光スイッチ部と光ファイバで接続された光送受信部と、光カプラとを備える、多方路に光信号を送受信することが可能な光伝送装置における光ファイバの接続確認方法であって、
前記光送受信部が送受信する前記光信号の波長を、未使用波長、または前記ＯＸＣ部、前記光スイッチ部、および前記光送受信部が使用可能に予め設定されたサービス外波長に設定し、
前記未使用波長または前記サービス外波長を用いて前記光伝送装置における前記光ファイバの接続確認を行うことを特徴とする、光伝送装置における光ファイバの接続確認方法。
【請求項２】
予め定められた方路に対応する前記光スイッチ部と前記光合分波部とが前記光ファイバで接続され、かつ前記予め定められた方路に対応する前記ＯＸＣ部が前記未使用波長または前記サービス外波長の前記光信号を検出しない場合、前記予め定められた方路において前記光ファイバの接続に誤りがあると判定することを特徴とする、請求項１に記載の光伝送装置における光ファイバの接続確認方法。
【請求項３】
前記光スイッチ部が前記未使用波長または前記サービス外波長の前記光信号を検出しない場合、前記光スイッチ部および前記光送受信部間における前記光ファイバの接続に誤りがあると判定することを特徴とする、請求項２に記載の光伝送装置における光ファイバの接続確認方法。
【請求項４】
前記光スイッチ部が前記未使用波長または前記サービス外波長の前記光信号を検出し、かつ前記予め定められた方路に対応する前記光合分波部に他の前記光送受信部から前記光信号の入力がある場合、前記光合分波部および前記光スイッチ部間における前記光ファイバの接続に誤りがあると判定することを特徴とする、請求項２に記載の光伝送装置における光ファイバの接続確認方法。
【請求項５】
前記光スイッチ部が前記未使用波長または前記サービス外波長の前記光信号を検出し、前記予め定められた方路に対応する前記光合分波部に他の前記光送受信部から前記光信号の入力がなく、かつ前記光合分波部が前記未使用波長または前記サービス外波長の前記光信号を検出しなかった場合、前記光合分波部および前記光スイッチ部間における前記光ファイバの接続に誤りがあると判定することを特徴とする、請求項２に記載の光伝送装置における光ファイバの接続確認方法。
【請求項６】
前記光スイッチ部が前記未使用波長または前記サービス外波長の前記光信号を検出し、前記予め定められた方路に対応する前記光合分波部に他の前記光送受信部から前記光信号の入力がなく、かつ前記光合分波部が前記未使用波長または前記サービス外波長の前記光信号を検出した場合、前記光合分波部および前記光スイッチ部間における前記光ファイバの接続に誤りがあると判定することを特徴とする、請求項２に記載の光伝送装置における光ファイバの接続確認方法。
【請求項７】
予め定められた方路に対応する前記光スイッチ部と前記光合分波部とが前記光ファイバで接続されず、かつ全ての方路の内のいずれか１つの方路に対応する前記ＯＸＣ部が前記未使用波長または前記サービス外波長の前記光信号を検出した場合、前記予め定められた方路において前記光ファイバの接続に誤りがあると判定することを特徴とする、請求項１に記載の光伝送装置における光ファイバの接続確認方法。
【請求項８】
前記光スイッチ部が前記未使用波長または前記サービス外波長の前記光信号を検出しない場合、前記光スイッチ部および前記光送受信部間における前記光ファイバの接続に誤りがあると判定することを特徴とする、請求項７に記載の光伝送装置における光ファイバの接続確認方法。
【請求項９】
前記光スイッチ部が前記未使用波長または前記サービス外波長の前記光信号を検出し、かつ前記ＯＸＣ部が有する波長選択スイッチの予め定められた接続ポートと接続している前記光合分波部に、他の前記光送受信部から前記光信号の入力がある場合、前記光合分波部および前記光スイッチ部間における前記光ファイバの接続に誤りがあると判定することを特徴とする、請求項７に記載の光伝送装置における光ファイバの接続確認方法。
【請求項１０】
前記光スイッチ部が前記未使用波長または前記サービス外波長の前記光信号を検出し、前記ＯＸＣ部が有する波長選択スイッチの予め定められた接続ポートと接続している前記光合分波部に、他の前記光送受信部から前記光信号の入力がなく、かつ前記接続ポートと接続している前記光合分波部が前記未使用波長または前記サービス外波長の前記光信号を検出しなかった場合、前記光合分波部および前記光スイッチ部間における前記光ファイバの接続に誤りがあると判定することを特徴とする、請求項７に記載の光伝送装置における光ファイバの接続確認方法。
【請求項１１】
前記光スイッチ部が前記未使用波長または前記サービス外波長の前記光信号を検出し、前記ＯＸＣ部が有する波長選択スイッチの予め定められた接続ポートと接続している前記光合分波部に、他の前記光送受信部から前記光信号の入力がなく、かつ前記接続ポートと接続している前記光合分波部が前記未使用波長または前記サービス外波長の前記光信号を検出した場合、前記ＯＸＣ部および前記光合分波部間における前記光ファイバの接続に誤りがあると判定することを特徴とする、請求項７に記載の光伝送装置における光ファイバの接続確認方法。
【請求項１２】
前記光増幅部は、前記サービス外波長で送信される前記光信号である光送信信号をフィルタリングする第１フィルタ部と、前記第１フィルタ部でフィルタリングされた前記光送信信号を光受信信号として受信する第２フィルタ部とを備えることを特徴とする、請求項１に記載の光伝送装置における光ファイバの接続確認方法。
【請求項１３】
予め定められた方路に対応する前記光スイッチ部と前記光合分波部とが前記光ファイバで接続され、かつ前記予め定められた方路に対応する前記ＯＸＣ部が前記光送信信号を検出しない場合、前記予め定められた方路の送信側において前記光ファイバの接続に誤りがあると判定することを特徴とする、請求項１２に記載の光伝送装置における光ファイバの接続確認方法。
【請求項１４】
予め定められた方路に対応する前記光スイッチ部と前記光合分波部とが前記光ファイバで接続され、前記予め定められた方路に対応する前記ＯＸＣ部が前記光送信信号を検出し、かつ前記光送受信部が前記光受信信号を検出しなかった場合、前記予め定められた方路の受信側において前記光ファイバの接続に誤りがあると判定することを特徴とする、請求項１２に記載の光伝送装置における光ファイバの接続確認方法。
【請求項１５】
予め定められた方路に対応する前記光スイッチ部と前記光合分波部とが前記光ファイバで接続されず、かつ全ての方路の内のいずれか１つの方路に対応する前記ＯＸＣ部が前記光送信信号を検出した場合、前記予め定められた方路において前記光ファイバの接続に誤りがあると判定することを特徴とする、請求項１２に記載の光伝送装置における光ファイバの接続確認方法。
【請求項１６】
前記光スイッチ部の光スイッチ設定を接続なしに設定し、かつ前記光送受信部が前記光受信信号を検出した場合、前記光スイッチ部および前記光送受信部間における前記光ファイバの接続に誤りがあると判定することを特徴とする、請求項１４に記載の光伝送装置における光ファイバの接続確認方法。
【請求項１７】
前記光送受信部が前記光受信信号を検出し、前記予め定められた方路に対応する前記光合分波部に他の前記光送受信部から前記光送信信号の入力がなく、かつ前記光増幅部が前記光受信信号を検出しなかった場合、前記光増幅部および前記ＯＸＣ間における前記光ファイバの接続に誤りがあると判定することを特徴とする、請求項１４に記載の光伝送装置における光ファイバの接続確認方法。
【請求項１８】
前記光送受信部が前記光受信信号を検出し、前記予め定められた方路に対応する前記光合分波部に他の前記光送受信部から前記光送信信号の入力がなく、前記光増幅部が前記光受信信号を検出し、かつＯＸＣ部が前記光受信信号を検出しなかった場合、前記光増幅部および前記ＯＸＣ間における前記光ファイバの接続に誤りがあると判定することを特徴とする、請求項１４に記載の光伝送装置における光ファイバの接続確認方法。
【請求項１９】
前記光送受信部が前記光受信信号を検出し、前記予め定められた方路に対応する前記光合分波部に他の前記光送受信部から前記光送信信号の入力がなく、前記光増幅部が前記光受信信号を検出し、ＯＸＣ部が前記光受信信号を検出し、かつ前記光合分波部が前記光受信信号を検出しなかった場合、前記ＯＸＣおよび前記光合分波部間における前記光ファイバの接続に誤りがあると判定することを特徴とする、請求項１４に記載の光伝送装置における光ファイバの接続確認方法。
【請求項２０】
前記光送受信部が前記光受信信号を検出し、前記予め定められた方路に対応する前記光合分波部に他の前記光送受信部から前記光送信信号の入力がなく、前記光増幅部が前記光受信信号を検出し、ＯＸＣ部が前記光受信信号を検出し、かつ前記光合分波部が前記光受信信号を検出した場合、前記光合分波部および前記光スイッチ部間における前記光ファイバの接続に誤りがあると判定することを特徴とする、請求項１４に記載の光伝送装置における光ファイバの接続確認方法。
【請求項２１】
前記光送受信部が前記光受信信号を検出し、かつ前記予め定められた方路に対応する前記光合分波部に他の前記光送受信部から前記光送信信号の入力がある場合、前記光合分波部および前記光スイッチ部間における前記光ファイバの接続に誤りがあると判定することを特徴とする、請求項１４に記載の光伝送装置における光ファイバの接続確認方法。
【請求項２２】
前記光送受信部が前記光受信信号を検出せず、前記予め定められた方路に対応する前記光合分波部に他の前記光送受信部から前記光送信信号の入力があり、かつ前記光スイッチ部が前記光受信信号を検出しなかった場合、前記光合分波部および前記光スイッチ部間における前記光ファイバの接続に誤りがあると判定することを特徴とする、請求項１４に記載の光伝送装置における光ファイバの接続確認方法。
【請求項２３】
前記光送受信部が前記光受信信号を検出せず、前記予め定められた方路に対応する前記光合分波部に他の前記光送受信部から前記光送信信号の入力があり、かつ前記光スイッチ部が前記光受信信号を検出した場合、前記光スイッチ部および前記光送受信部間における前記光ファイバの接続に誤りがあると判定することを特徴とする、請求項１４に記載の光伝送装置における光ファイバの接続確認方法。
【請求項２４】
前記光送受信部が前記光受信信号を検出せず、前記予め定められた方路に対応する前記光合分波部に他の前記光送受信部から前記光送信信号の入力がなく、前記光増幅部が前記光受信信号を検出し、ＯＸＣ部が前記光受信信号を検出し、前記光合分波部が前記光受信信号を検出し、かつ前記光スイッチ部が前記光受信信号を検出した場合、前記光スイッチ部および前記光送受信部間における前記光ファイバの接続に誤りがあると判定することを特徴とする、請求項１４に記載の光伝送装置における光ファイバの接続確認方法。
【請求項２５】
前記光送受信部が前記光受信信号を検出せず、前記予め定められた方路に対応する前記光合分波部に他の前記光送受信部から前記光送信信号の入力がなく、前記光増幅部が前記光受信信号を検出し、ＯＸＣ部が前記光受信信号を検出し、前記光合分波部が前記光受信信号を検出し、かつ前記光スイッチ部が前記光受信信号を検出しなかった場合、前記光送受信部および前記光スイッチ部間における前記光ファイバの接続に誤りがあると判定することを特徴とする、請求項１４に記載の光伝送装置における光ファイバの接続確認方法。
【請求項２６】
前記光送受信部が前記光受信信号を検出せず、前記予め定められた方路に対応する前記光合分波部に他の前記光送受信部から前記光送信信号の入力がなく、前記光増幅部が前記光受信信号を検出し、ＯＸＣ部が前記光受信信号を検出し、かつ前記光合分波部が前記光受信信号を検出しなかった場合、前記ＯＸＣ部および前記光合分波部間における前記光ファイバの接続に誤りがあると判定することを特徴とする、請求項１４に記載の光伝送装置における光ファイバの接続確認方法。
【請求項２７】
前記光送受信部が前記光受信信号を検出せず、前記予め定められた方路に対応する前記光合分波部に他の前記光送受信部から前記光送信信号の入力がなく、前記光増幅部が前記光受信信号を検出し、かつＯＸＣ部が前記光受信信号を検出しなかった場合、前記光増幅部および前記ＯＸＣ部間における前記光ファイバの接続に誤りがあると判定することを特徴とする、請求項１４に記載の光伝送装置における光ファイバの接続確認方法。
【請求項２８】
前記光送受信部が前記光受信信号を検出せず、前記予め定められた方路に対応する前記光合分波部に他の前記光送受信部から前記光送信信号の入力がなく、かつ前記光増幅部が前記光受信信号を検出しなかった場合、前記光増幅部および前記ＯＸＣ部間における前記光ファイバの接続に誤りがあると判定することを特徴とする、請求項１４に記載の光伝送装置における光ファイバの接続確認方法。
【請求項２９】
前記光合分波部は、前記カプラを有することを特徴とする、請求項１から２８のいずれか１項に記載の光伝送装置における光ファイバの接続確認方法。
【請求項３０】
前記光増幅部、前記ＯＸＣ部、前記光合分波部、前記光スイッチ部、および前記光送受信部の各々は、前記光信号の光レベルを検出するモニタを有することを特徴とする、請求項１から２９のいずれか１項に記載の光伝送装置における光ファイバの接続確認方法。
【発明の詳細な説明】
【技術分野】
【０００１】
本発明は、ＣＤＣ（Colorless Directionless Contentionless）機能を有するＷＤＭ（Wavelength Division Multiplexing）装置である光伝送装置における光ファイバの接続確認方法に関する。
【背景技術】
【０００２】
従来、多方路に接続されたＷＤＭ装置内に設けられた光ファイバは本数が多く、接続の誤りが生じやすいという問題があった。また、波長無依存機能の普及によって、ＷＤＭ装置内における光ファイバの接続の誤りはさらに生じやすくなっている。このような問題の対策として、波長選択スイッチを備えるＷＤＭ装置が開示されている（例えば、特許文献１参照）。
【先行技術文献】
【特許文献】
【０００３】
【特許文献１】特開２０１６−１４４０１３号公報
【発明の概要】
【発明が解決しようとする課題】
【０００４】
特許文献１では、光ファイバが誤って接続された場合であっても、主信号に影響を与えることはない。一方、波長無依存機能を有するＷＤＭ装置では、コスト低減を目的として、一部の波長選択スイッチを光カプラに置き換えた構成が増えている。波長選択スイッチを光カプラに置き換えた構成では、光ファイバの接続を誤ると主信号断が発生する可能性がある。従って、波長選択スイッチを光カプラに置き換えた構成において、光ファイバが正常に接続されているかを確認することは重要であるが、従来では光ファイバが正常に接続されているかを確認することができなかった。
【０００５】
本発明は、このような問題を解決するためになされたものであり、光ファイバが正常に接続されているかを確認することが可能な光伝送装置における光ファイバの接続確認方法を提供することを目的とする。
【課題を解決するための手段】
【０００６】
上記の課題を解決するために、本発明による光伝送装置における光ファイバの接続確認方法は、光増幅部と、光増幅部と光ファイバで接続されたＯＸＣ（Optical Cross Connect）部と、ＯＸＣ部と光ファイバで接続された光合分波部と、光合分波部と光ファイバで接続された光スイッチ部と、光スイッチ部と光ファイバで接続された光送受信部と、光カプラとを備える、多方路に光信号を送受信することが可能な光伝送装置における光ファイバの接続確認方法であって、光送受信部が送受信する光信号の波長を、未使用波長、またはＯＸＣ部、光スイッチ部、および光送受信部が使用可能に予め設定されたサービス外波長に設定し、未使用波長またはサービス外波長を用いて光伝送装置における光ファイバの接続確認を行う。
【発明の効果】
【０００７】
本発明によると、光伝送装置における光ファイバの接続確認方法は、光増幅部と、光増幅部と光ファイバで接続されたＯＸＣ（Optical Cross Connect）部と、ＯＸＣ部と光ファイバで接続された光合分波部と、光合分波部と光ファイバで接続された光スイッチ部と、光スイッチ部と光ファイバで接続された光送受信部と、光カプラとを備える、多方路に光信号を送受信することが可能な光伝送装置における光ファイバの接続確認方法であって、光送受信部が送受信する光信号の波長を、未使用波長、またはＯＸＣ部、光スイッチ部、および光送受信部が使用可能に予め設定されたサービス外波長に設定し、未使用波長またはサービス外波長を用いて光伝送装置における光ファイバの接続確認を行うため、光ファイバが正常に接続されているかを確認することが可能となる。
【図面の簡単な説明】
【０００８】
【図１】本発明の実施の形態１による光伝送装置の構成の一例を示すブロック図である。
【図２】本発明の実施の形態１による光伝送装置の動作の一例を示すフローチャートである。
【図３】本発明の実施の形態１による光伝送装置の動作の一例を示すフローチャートである。
【図４】本発明の実施の形態１による光伝送装置の動作の一例を示すフローチャートである。
【図５】本発明の実施の形態２による光伝送装置の構成の一例を示すブロック図である。
【図６】本発明の実施の形態２による光伝送装置の動作の一例を示すフローチャートである。
【図７】本発明の実施の形態２による光伝送装置の動作の一例を示すフローチャートである。
【図８】前提技術による光伝送装置の構成の一例を示すブロック図である。
【図９】前提技術による光伝送装置の構成の一例を示すブロック図である。
【発明を実施するための形態】
【０００９】
本発明の実施の形態について、図面に基づいて以下に説明する。
【００１０】
＜前提技術＞
まず、本発明の前提となる前提技術について説明する。
【００１１】
図８は、前提技術による光伝送装置の構成の一例を示すブロック図である。
【００１２】
図８に示すように、前提技術による光伝送装置は、光増幅部１と、ＯＸＣ（Optical Cross Connect）部２と、光合分波部３と、光スイッチ部４と、光送受信部５とを備えており、各部は光ファイバで接続されている。ＯＸＣ部２は、波長選択スイッチ２１およびＯＣＭ（Optical Channel Monitor）２３を有している。光合分波部３は、波長選択スイッチ３５を有している。光スイッチ部４は、光スイッチ４１を有している。光送受信部５は、トランスポンダ５３を有している。
【００１３】
図８に示す光伝送装置では、光スイッチ部４と光合分波部３との光ファイバの接続が誤った場合、波長選択スイッチ３５によって光合分波部３の各ポートに入出力する光信号の波長を選択することが可能である。すなわち、光ファイバが誤って接続された場合であっても、主信号に影響を与えることはない。
【００１４】
図９は、前提技術による光伝送装置の構成の一例を示すブロック図である。
【００１５】
図９に示す光伝送装置では、図８に示す光合分波部３の波長選択スイッチ３５を光カプラ３１に置き換えた構成となっている。その他の構成は、図８に示す光伝送装置と同様である。
【００１６】
図９に示す光伝送装置では、光スイッチ部４と光合分波部３との光ファイバの接続が誤った場合、例えば、各光送受信部５から送信される光信号の波長によっては、各光送受信部５から送信された光信号が光カプラ３１で衝突する可能性がある。従って、波長選択スイッチを光カプラに置き換えた構成において、光ファイバが正常に接続されているかを確認することは重要である。
【００１７】
本発明は、光カプラを有する光伝送装置において、光ファイバが正常に接続されているかを確認することを可能としている。以下、詳細に説明する。
【００１８】
＜実施の形態１＞
＜構成＞
図１は、本発明の実施の形態１による光伝送装置の構成の一例を示すブロック図である。
【００１９】
図１に示すように、本実施の形態１による光伝送装置は、光増幅部１と、ＯＸＣ部２と、光合分波部３と、光スイッチ部４と、光送受信部５とを備えている。
【００２０】
光増幅部１は、伝送装置に接続されている方路の数だけ備えられている。また、光増幅部１は、送信側モニタ１１および受信側モニタ１２を有している。送信側モニタ１１は、光増幅部１において、送信するときの光信号である光送信信号の光レベルをモニタする。受信側モニタ１２は、光増幅部１において、受信した光信号である光受信信号の光レベルをモニタする。
【００２１】
ＯＸＣ部２は、光増幅部１と光ファイバで接続されており、伝送装置に接続されている方路の数だけ備えられている。また、ＯＸＣ部２は、波長選択スイッチ２１、波長選択スイッチ２２、ＯＣＭ２３、および受信側モニタ２４を有している。波長選択スイッチ２１は、送信側に設けられており、光合分波部３との接続ポートに対して任意の波長を通過またはブロックする設定を行うことが可能である。波長選択スイッチ２２は、受信側に設けられており、光合分波部３との接続ポートに対して任意の波長を通過またはブロックする設定を行うことが可能である。ＯＣＭ２３は、波長選択スイッチ２１の各接続ポートから入力されたチャネルごとの光レベルをモニタすることが可能である。受信側モニタ２４は、ＯＸＣ部２において、光受信信号の光レベルをモニタする。
【００２２】
光合分波部３は、ＯＸＣ部２と光ファイバで接続されており、伝送装置に接続されている各方路に対して複数設けられている。また、光合分波部３は、光カプラ３１、光カプラ３２、送信側モニタ３３、および受信側モニタ３４を有している。光カプラ３１は、送信側に設けられており、各光送受信部５から送信された光送信信号を合波する機能を有している。光カプラ３２は、受信側に設けられており、光受信信号を分波する機能を有している。送信側モニタ３３は、光合分波部３において、光送信信号の光レベルをモニタする。受信側モニタ３４は、光合分波部３において、光受信信号の光レベルをモニタする。
【００２３】
光スイッチ部４は、光合分波部３と光ファイバで接続されている。また、光スイッチ部４は、光スイッチ４１、光スイッチ４２、送信側モニタ４３、および受信側モニタ４４を有している。光スイッチ４１は、送信側に設けられており、各方路に対して１つ出力ポートを有している。光スイッチ４２は、受信側に設けられており、各方路に対して１つの入力ポートを有している。送信側モニタ４３は、光スイッチ部４において、光送信信号の光レベルをモニタする。受信側モニタ４４は、光スイッチ部４において、光受信信号の光レベルをモニタする。
【００２４】
光送受信部５は、光スイッチ部４と光ファイバで接続されている。また、光送受信部５は、送信側モニタ５１および受信側モニタ５２を有している。送信側モニタ５１は、光送受信部５において、光送信信号の光レベルをモニタする。受信側モニタ５２は、光送受信部５において、光受信信号の光レベルをモニタする。光送受信部５は、光送信信号と同一波長のみの光レベルをモニタする機能を有している。
【００２５】
上記より、本実施の形態１による光伝送装置は、光合分波部３に光カプラ３１，３２を有するＷＤＭ装置である。また、本実施の形態による光伝送装置では、送信側および受信側が一体となった２連の光ファイバを使用している。従って、光ファイバの接続に誤りがあると、送信側および受信側は同時に異常となる。
【００２６】
なお、波長選択スイッチ２１，２２、ＯＣＭ２３、光スイッチ４１，４２、および光送受信部５は、サービス波長以外の波長であるサービス外波長について１チャネル分設定し、サービス外波長を通過させることが可能であるものとする。ここで、サービス波長とは、光伝送装置が電話またはデータ通信などのサービスをユーザに提供するときに使用する波長のことをいう。
【００２７】
＜動作＞
図２は、本実施の形態１による光伝送装置の動作の一例を示すフローチャートであり、光ファイバが正常に接続されているかを確認する動作を示している。なお、図２のステップＳ１０１以外の動作は、図示しない制御部が行っているものとする。
【００２８】
ステップＳ１０１において、各部を光ファイバで接続する。
【００２９】
ステップＳ１０２において、全ての方路で共通する未使用波長を探索する。未使用波長がある場合は、ステップＳ１０３に移行する。一方、未使用波長がない場合は、ステップＳ１０４に移行する。
【００３０】
ステップＳ１０３において、光送受信部５での波長を未使用波長に設定する。
【００３１】
ステップＳ１０４において、光送受信部５での波長をサービス外波長に設定する。
【００３２】
ステップＳ１０５において、光スイッチ４１の接続先の方路を設定する。最初は、番号を付した複数の方路のうち最若番の方路を設定する。
【００３３】
ステップＳ１０６において、設定した方路に対応する光スイッチ部４と光合分波部３とが接続されているか否かを判断する。光スイッチ部４と光合分波部３とが接続されている場合は、ステップＳ１０７に移行する。一方、光スイッチ部４と光合分波部３とが接続されていない場合は、ステップＳ１１３に移行する。
【００３４】
ステップＳ１０７において、設定した方路に対応するＯＸＣ部２の波長選択スイッチ２１の接続ポートのうち、設定した方路に対応する光合分波部３と接続している接続ポートに対して、設定した波長が通過するように設定する。
【００３５】
ステップＳ１０８において、ＯＸＣ部２のＯＣＭ２３によって、設定した波長のチャネルが存在しているか否かを判断する。設定した波長のチャネルが存在していない場合は、ステップＳ１０９に移行する。一方、設定した波長のチャネルが存在している場合は、ステップＳ１１０に移行する。
【００３６】
ステップＳ１０９において、光ファイバの接続に誤りがあると判定する。その後、後述する図３のステップＳ２０１に移行する。
【００３７】
ステップＳ１１０において、光ファイバは正常に接続されていると判定する。
【００３８】
ステップＳ１１１において、全ての方路について光ファイバの接続を確認したか否かを判断する。全ての方路について光ファイバの接続を確認した場合は、図２の動作を終了する。一方、全ての方路について光ファイバの接続を確認していない場合は、ステップＳ１１２に移行する。
【００３９】
ステップＳ１１２において、光スイッチ４１の接続先を次の方路に設定する。その後、ステップＳ１０６に戻る。
【００４０】
ステップＳ１０６において、光スイッチ部４と光合分波部３とが接続されていないと判断された場合、ステップＳ１１３において、全ての方路に対応するＯＸＣ部２の波長選択スイッチ２１の接続ポートうち、最若番の接続ポートに対して、設定した波長が通過するように設定する。
【００４１】
ステップＳ１１４において、全ての方路に対応するＯＸＣ部２のＯＣＭ２３によって、少なくとも１つの方路に設定した波長のチャネルが存在しているか否かを判断する。少なくとも１つの方路に設定した波長のチャネルが存在している場合は、ステップＳ１２０に移行する。一方、全ての方路に設定した波長のチャネルが存在していない場合は、ステップＳ１１５に移行する。
【００４２】
ステップＳ１１５において、光ファイバは正常に接続されていると判定する。
【００４３】
ステップＳ１１６において、波長選択スイッチ２１の全ての接続ポートについて光ファイバの接続を確認したか否かを判断する。全ての接続ポートについて光ファイバの接続を確認していない場合は、ステップＳ１１７に移行する。一方、全ての接続ポートについて光ファイバの接続を確認した場合は、ステップＳ１１８に移行する。
【００４４】
ステップＳ１１７において、全ての方路に対応するＯＸＣ部２の波長選択スイッチ２１の接続ポートうち、次の接続ポートに対して、設定した波長が通過するように設定する。その後、ステップＳ１１４に戻る。
【００４５】
ステップＳ１１８において、全ての方路について光ファイバの接続を確認したか否かを判断する。全ての方路について光ファイバの接続を確認した場合は、図２の動作を終了する。一方、全ての方路について光ファイバの接続を確認していない場合は、ステップＳ１１９に移行する。
【００４６】
ステップＳ１１９において、光スイッチ４１の接続先を次の方路に設定する。その後、ステップＳ１０６に戻る。
【００４７】
ステップＳ１１４において、少なくとも１つの方路に設定した波長のチャネルが存在していると判断された場合、ステップＳ１２０において、光ファイバの接続に誤りがあると判定する。その後、後述する図４のステップＳ３０１に移行する。
【００４８】
図２の動作を行うことによって、全ての方路について光ファイバが正常に接続されているかを確認することができる。
【００４９】
図３は、本実施の形態１による光伝送装置の動作の一例を示すフローチャートであり、光ファイバの接続が誤っている箇所を特定する動作を示している。なお、図３の動作は、図示しない制御部が行っているものとする。
【００５０】
図２のステップＳ１０９において、光ファイバの接続に誤りがあると判定されると、ステップＳ２０１において、光スイッチ部４の送信側モニタ４３が光レベルをモニタすることによって、光スイッチ部４において光送信信号の入力があるか否かを判断する。光スイッチ部４において光送信信号の入力がない場合は、ステップＳ２０２に移行する。一方、光スイッチ部４において光送信信号の入力がある場合は、ステップＳ２０３に移行する。
【００５１】
ステップＳ２０２において、光送受信部５および光スイッチ部４間における光ファイバの接続に誤りがあると判定する。
【００５２】
ステップＳ２０３において、設定した方路に対応する光合分波部３の送信側モニタ３３が光レベルをモニタすることによって、設定した方路に対応する光合分波部３に、他の光送受信部５からの光送信信号の入力があるか否かを判断する。他の光送受信部５からの光送信信号の入力がある場合は、ステップＳ２０４に移行する。一方、他の光送受信部５からの光送信信号の入力がない場合は、ステップＳ２０５に移行する。
【００５３】
ステップＳ２０４において、光合分波部３およびＯＸＣ部２間の光ファイバの接続は図２の動作で正常であることが確認済みであるため、光スイッチ部４および光合分波部３間における光ファイバの接続に誤りがあると判定する。
【００５４】
ステップＳ２０５において、設定した方路に対応する光合分波部３の送信側モニタ３３が光レベルをモニタすることによって、設定した方路に対応する光合分波部３において光送信信号の入力があるか否かを判断する。設定した方路に対応する光合分波部３において光送信信号の入力がある場合は、ステップＳ２０６に移行する。一方、設定した方路に対応する光合分波部３において光送信信号の入力がない場合は、ステップＳ２０７に移行する。
【００５５】
ステップＳ２０６において、ＯＸＣ部２および光合分波部３間における光ファイバの接続に誤りがあると判定する。
【００５６】
ステップＳ２０７において、光スイッチ部４および光合分波部３間における光ファイバの接続に誤りがあると判定する。
【００５７】
図４は、本実施の形態１による光伝送装置の動作の一例を示すフローチャートであり、光ファイバの接続が誤っている箇所を特定する動作を示している。なお、図４の動作は、図示しない制御部が行っているものとする。
【００５８】
図２のステップＳ１２０において、光ファイバの接続に誤りがあると判定されると、ステップＳ３０１において、光スイッチ部４の送信側モニタ４３が光レベルをモニタすることによって、光スイッチ部４において光送信信号の入力があるか否かを判断する。光スイッチ部４において光送信信号の入力がない場合は、ステップＳ３０２に移行する。一方、光スイッチ部４において光送信信号の入力がある場合は、ステップＳ３０３に移行する。
【００５９】
ステップＳ３０２において、光送受信部５および光スイッチ部４間における光ファイバの接続に誤りがあると判定する。
【００６０】
ステップＳ３０３において、設定した波長選択スイッチ２１の接続ポートに接続している光合分波部３の送信側モニタ３３が光レベルをモニタすることによって、設定した波長選択スイッチ２１の接続ポートに接続している光合分波部３に、他の光送受信部５からの光送信信号の入力があるか否かを判断する。他の光送受信部５からの光送信信号の入力がある場合は、ステップＳ３０４に移行する。一方、他の光送受信部５からの光送信信号の入力がない場合は、ステップＳ３０５に移行する。
【００６１】
ステップＳ３０４において、光合分波部３およびＯＸＣ部２間の光ファイバの接続は図２の動作で正常であることが確認済みであるため、光スイッチ部４および光合分波部３間における光ファイバの接続に誤りがあると判定する。
【００６２】
ステップＳ３０５において、設定した波長選択スイッチ２１の接続ポートに接続している光合分波部３の送信側モニタ３３が光レベルをモニタすることによって、設定した波長選択スイッチ２１の接続ポートに接続している光合分波部３において光送信信号の入力があるか否かを判断する。設定した波長選択スイッチ２１の接続ポートに接続している光合分波部３において光送信信号の入力がある場合は、ステップＳ３０６に移行する。一方、設定した波長選択スイッチ２１の接続ポートに接続している光合分波部３において光送信信号の入力がない場合は、ステップＳ３０７に移行する。
【００６３】
ステップＳ３０６において、ＯＸＣ部２および光合分波部３間における光ファイバの接続に誤りがあると判定する。
【００６４】
ステップＳ３０７において、光スイッチ部４および光合分波部３間における光ファイバの接続に誤りがあると判定する。
【００６５】
図３，４の動作を行うことによって、光ファイバの接続が誤っている箇所を特定することができる。
【００６６】
以上のことから、本実施の形態１によれば、ＣＤＣ機能を有し、光カプラを備えるＷＤＭ装置において、光ファイバが正常に接続されているかを確認することができる。また、光ファイバが正常に接続されていない場合は、光ファイバの接続が誤っている箇所を特定することができる。
【００６７】
＜実施の形態２＞
＜構成＞
図５は、本発明の実施の形態２による光伝送装置の構成の一例を示すブロック図である。
【００６８】
図５に示すように、本実施の形態２による光伝送装置は、光増幅部１が第１フィルタ部である送信側ＷＤＭフィルタ１３と、第２フィルタ部である受信側ＷＤＭフィルタ１４とを有していることを特徴とする。その他の構成は、実施の形態１と同様であるため、ここでは詳細な説明を省略する。
【００６９】
光増幅部１は、送信側ＷＤＭフィルタ１３および受信側ＷＤＭフィルタ１４を有している。光送受信部５での波長をサービス外波長に設定した場合、送信側ＷＤＭフィルタ１３は、サービス外波長の光送信信号を光増幅部の外に出力せずに受信側ＷＤＭフィルタ１４に入力する。受信側ＷＤＭフィルタ１４は、光受信信号に、送信側ＷＤＭフィルタ１３から入力されたサービス外波長の光信号を加える。
【００７０】
＜動作＞
図６は、本実施の形態２による光伝送装置の動作の一例を示すフローチャートであり、光ファイバが正常に接続されているかを確認する動作を示している。なお、図６のステップＳ４０１以外の動作は、図示しない制御部が行っているものとする。また、図６のステップＳ４０１は図２のステップＳ１０１に対応し、図６のステップＳ４０３〜ステップＳ４０６は図２のステップＳ１０５〜ステップＳ１０８に対応し、図６のステップＳ４１１〜ステップＳ４１９は図２のステップＳ１１１〜ステップＳ１１９に対応している。以下では、ステップＳ４０２、ステップＳ４０７〜ステップＳ４１０、およびステップＳ４２０について説明する。
【００７１】
ステップＳ４０２において、光送受信部５での波長をサービス外波長に設定する。
【００７２】
ステップＳ４０６において、サービス外波長のチャネルが存在していないと判断された場合、ステップＳ４０７において、送信側で光ファイバの接続に誤りがあると判定する。その後、図３のステップＳ２０１に移行する。
【００７３】
ステップＳ４０６において、サービス外波長のチャネルが存在していると判断された場合、ステップＳ４０８において、光送受信部５の受信側モニタ５２が光レベルをモニタすることによって、光送受信部５がサービス外波長の光受信信号を受信したか否かを判断する。光送受信部５がサービス外波長の光受信信号を受信していない場合は、ステップＳ４０９に移行する。一方、光送受信部５がサービス外波長の光受信信号を受信した場合は、ステップＳ４１０に移行する。
【００７４】
ステップＳ４０９において、受信側で光ファイバの接続に誤りがあると判定する。その後、後述する図７のステップＳ５０１に移行する。
【００７５】
ステップＳ４０８において、光送受信部５がサービス外波長の光受信信号を受信したと判断された場合、ステップＳ４１０において、受信側の光ファイバは正常に接続されていると判定する。
【００７６】
ステップＳ４１４において、少なくとも１つの方路に設定した波長のチャネルが存在していると判断された場合、ステップＳ４２０において、送信側で光ファイバの接続に誤りがあると判定する。その後、図４のステップＳ３０１に移行する。
【００７７】
図６の動作を行うことによって、全ての方路について光ファイバが正常に接続されているかを、送信側と受信側とを区別して確認することができる。
【００７８】
図７は、本実施の形態２による光伝送装置の動作の一例を示すフローチャートであり、光ファイバの接続が誤っている箇所を特定する動作を示している。なお、図７の動作は、図示しない制御部が行っているものとする。
【００７９】
図６のステップＳ４０９において、受信側で光ファイバの接続に誤りがあると判定されると、ステップＳ５０１において、光送受信部５の受信側モニタ５２が光レベルをモニタすることによって、光送受信部５において光受信信号の入力があるか否かを判断する。光送受信部５において光受信信号の入力がある場合は、ステップＳ５０２に移行する。一方、光送受信部５において光受信信号の入力がない場合は、ステップＳ５１２に移行する。
【００８０】
ステップＳ５０２において、光スイッチ部４の光スイッチ設定を「接続なし」にする。
【００８１】
ステップＳ５０３において、光送受信部５の受信側モニタ５２が光レベルをモニタすることによって、光送受信部５において光受信信号の入力があるか否かを判断する。光送受信部５において光受信信号の入力がある場合は、ステップＳ５０４に移行する。一方、光送受信部５において光受信信号の入力がない場合は、ステップＳ５０５に移行する。
【００８２】
ステップＳ５０４において、光送受信部５および光スイッチ部４間における光ファイバの接続に誤りがあると判定する。
【００８３】
ステップＳ５０５において、設定した方路に対応する光合分波部３の送信側モニタ３３が光レベルをモニタすることによって、設定した方路に対応する光合分波部３に、他の光送受信部５からの光送信信号の入力があるか否かを判断する。他の光送受信部５からの光送信信号の入力がある場合は、ステップＳ５１１に移行する。一方、他の光送受信部５からの光送信信号の入力がない場合は、ステップＳ５０６に移行する。
【００８４】
ステップＳ５０６において、光増幅部１の受信側モニタ１２が光レベルをモニタすることによって、光増幅部１において光受信信号の入力があるか否かを判断する。光増幅部１において光受信信号の入力がある場合は、ステップＳ５０７に移行する。一方、光増幅部１において光受信信号の入力がない場合は、ステップＳ５０８に移行する。
【００８５】
ステップＳ５０７において、ＯＸＣ部２の受信側モニタ２４が光レベルをモニタすることによって、ＯＸＣ部２において光受信信号の入力があるか否かを判断する。ＯＸＣ部２において光受信信号の入力がある場合は、ステップＳ５０９に移行する。一方、ＯＸＣ部２において光受信信号の入力がない場合は、ステップＳ５０８に移行する。
【００８６】
ステップＳ５０８において、光増幅部１およびＯＸＣ部２間における光ファイバの接続に誤りがあると判定する。
【００８７】
ステップＳ５０９において、光合分波部３の受信側モニタ３４が光レベルをモニタすることによって、光合分波部３において光受信信号の入力があるか否かを判断する。光合分波部３において光受信信号の入力がない場合は、ステップＳ５１０に移行する。一方、光合分波部３において光受信信号の入力がある場合は、ステップＳ５１１に移行する。
【００８８】
ステップＳ５１０において、ＯＸＣ部２および光合分波部３間における光ファイバの接続に誤りがあると判定する。
【００８９】
ステップＳ５１１において、光合分波部３およびＯＸＣ部２間の光ファイバの接続は図６の動作で正常であることが確認済みであるため、光スイッチ部４および光合分波部３間における光ファイバの接続に誤りがあると判定する。
【００９０】
ステップＳ５１２において、設定した方路に対応する光合分波部３の送信側モニタ３３が光レベルをモニタすることによって、設定した方路に対応する光合分波部３に、他の光送受信部５からの光送信信号の入力があるか否かを判断する。他の光送受信部５からの光送信信号の入力がある場合は、ステップＳ５１３に移行する。一方、他の光送受信部５からの光送信信号の入力がない場合は、ステップＳ５１４に移行する。
【００９１】
ステップＳ５１３において、光スイッチ部４の受信側モニタ４４が光レベルをモニタすることによって、光スイッチ部４において光受信信号の入力があるか否かを判断する。光スイッチ部４において光受信信号の入力がない場合は、ステップＳ５１１に移行する。一方、光スイッチ部４において光受信信号の入力がある場合は、ステップＳ５２０に移行する。
【００９２】
ステップＳ５１４において、光増幅部１の受信側モニタ１２が光レベルをモニタすることによって、光増幅部１において光受信信号の入力があるか否かを判断する。光増幅部１において光受信信号の入力がある場合は、ステップＳ５１５に移行する。一方、光増幅部１において光受信信号の入力がない場合は、ステップＳ５１６に移行する。
【００９３】
ステップＳ５１５において、ＯＸＣ部２の受信側モニタ２４が光レベルをモニタすることによって、ＯＸＣ部２において光受信信号の入力があるか否かを判断する。ＯＸＣ部２において光受信信号の入力がない場合は、ステップＳ５１６に移行する。一方、ＯＸＣ部２において光受信信号の入力がある場合は、ステップＳ５１７に移行する。
【００９４】
ステップＳ５１６において、光増幅部１およびＯＸＣ部２間における光ファイバの接続に誤りがあると判定する。
【００９５】
ステップＳ５１７において、光合分波部３の受信側モニタ３４が光レベルをモニタすることによって、光合分波部３において光受信信号の入力があるか否かを判断する。光合分波部３において光受信信号の入力がない場合は、ステップＳ５１８に移行する。一方、光合分波部３において光受信信号の入力がある場合は、ステップＳ５１９に移行する。
【００９６】
ステップＳ５１８において、ＯＸＣ部２および光合分波部３間における光ファイバの接続に誤りがあると判定する。
【００９７】
ステップＳ５１９において、光スイッチ部４の受信側モニタ４４が光レベルをモニタすることによって、光スイッチ部４において光受信信号の入力があるか否かを判断する。光スイッチ部４において光受信信号の入力がある場合は、ステップＳ５２０に移行する。一方、光スイッチ部４において光受信信号の入力がない場合は、ステップＳ５２１に移行する。
【００９８】
ステップＳ５２０において、光送受信部５および光スイッチ部４間における光ファイバの接続に誤りがあると判定する。
【００９９】
ステップＳ５２１において、光スイッチ部４および光合分波部３間における光ファイバの接続に誤りがあると判定する。
【０１００】
図７の動作を行うことによって、受信側において光ファイバの接続が誤っている箇所を特定することができる。
【０１０１】
以上のことから、本実施の形態２によれば、ＣＤＣ機能を有し、光カプラを備えるＷＤＭ装置において、光ファイバが正常に接続されているかを、送信側と受信側とを区別して確認することができる。また、光ファイバが正常に接続されていない場合は、光ファイバの接続が誤っている箇所を特定することができる。
【０１０２】
なお、本発明は、その発明の範囲内において、各実施の形態を自由に組み合わせたり、各実施の形態を適宜、変形、省略することが可能である。
【符号の説明】
【０１０３】
１  光増幅部、２  ＯＸＣ部、３  光合分波部、４  光スイッチ部、５  光送受信部、１１  送信側モニタ、１２  受信側モニタ、１３  送信側ＷＤＭフィルタ、１４  受信側ＷＤＭフィルタ、２１，２２  波長選択スイッチ、２３  ＯＣＭ、２４  受信側モニタ、３１，３２  光カプラ、３３  送信側モニタ、３４  受信側モニタ、３５  波長選択スイッチ、４１，４２  光スイッチ、４３  送信側モニタ、４４  受信側モニタ、５１  送信側モニタ、５２  受信側モニタ。
【図１】
2019176297.tif 000003
【図２】
2019176297.tif 000004
【図３】
2019176297.tif 000005
【図４】
2019176297.tif 000006
【図５】
2019176297.tif 000007
【図６】
2019176297.tif 000008
【図７】
2019176297.tif 000009
【図８】
2019176297.tif 000010
【図９】
2019176297.tif 000011